(57)【要約】【課題】  ＩＣチップが付加されていない原稿にＩＣチップを付加することができ、原稿への操作情報を記録できる原稿を作成可能な原稿給送装置及び画像処理装置を提供する。【解決手段】  原稿を原稿読み取り装置の読み取り部に給送する原稿給送装置において、原稿にＩＣチップを付加するＩＣチップ付加手段と、前記ＩＣチップの読み書きを行うＩＣチップ読み書き手段とを備え、前記ＩＣチップ付加手段で付加したＩＣチップに前記ＩＣチップ読み書き手段でデータを書き込むことを特徴とする。【選択図】        図１
2006217484.tif 000002
【特許請求の範囲】
【請求項１】
原稿を原稿読み取り装置の読み取り部に給送する原稿給送装置において、
原稿にＩＣチップを付加するＩＣチップ付加手段と、
前記ＩＣチップの読み書きを行うＩＣチップ読み書き手段とを備え、
前記ＩＣチップ付加手段で付加したＩＣチップに前記ＩＣチップ読み書き手段でデータを書き込むことを特徴とした原稿給送装置。
【請求項２】
原稿を原稿読み取り装置の読み取り部に給送する原稿給送装置において、
原稿にＩＣチップを付加するＩＣチップ付加手段と、
前記ＩＣチップの読み書きを行うＩＣチップ読み書き手段とを備え、
前記ＩＣチップに前記ＩＣチップ読み書き手段でデータを書き込み、前記ＩＣチップ付加手段で付加することを特徴とした原稿給送装置。
【請求項３】
原稿が複数枚のとき、一部の原稿に前記ＩＣチップ付加手段でＩＣチップを付加することを特徴とした請求項１または請求項２に記載の原稿給送装置。
【請求項４】
原稿、もしくは原稿束がＩＣチップ付き原稿、もしくはＩＣチップ付き原稿束のとき、前記ＩＣチップ付加手段でＩＣチップを付加しないことを特徴とした請求項１から請求項３のいずれかに記載の原稿給送装置。
【請求項５】
前記ＩＣチップは非接触で外部機器と通信できる機能を有し、前記ＩＣ読み書き手段は前記ＩＣチップと非接触で通信できる機能を有する
ことを特徴とした請求項１から請求項４のいずれかに記載の原稿給送装置。
【請求項６】
前記データが原稿読み取り済みを示す情報であることを特徴とした請求項１から請求項５のいずれかに記載の原稿給送装置。
【請求項７】
原稿上の画像を読み取った画像データを出力する画像処理装置において、
前記画像データを出力する先を指定できる出力先指定手段と、
原稿にＩＣチップを付加するＩＣチップ付加手段と、
前記ＩＣチップの読み書きを行うＩＣチップ読み書き手段と、
前記ＩＣチップ付加手段で付加したＩＣチップに前記ＩＣチップ読み書き手段でデータを書き込むことを特徴とした画像処理装置。
【請求項８】
原稿上の画像を読み取った画像データを出力する画像処理装置において、
前記画像データを出力する先を指定できる出力先指定手段と、
原稿にＩＣチップを付加するＩＣチップ付加手段と、
前記ＩＣチップの読み書きを行うＩＣチップ読み書き手段と、
前記ＩＣチップに前記ＩＣチップ読み書き手段でデータを書き込み、前記ＩＣチップ付加手段で付加することを特徴とした画像処理装置。
【請求項９】
原稿が複数枚のとき、一部の原稿に前記ＩＣチップ付加手段でＩＣチップを付加することを特徴とした請求項７または請求項８に記載の画像処理装置。
【請求項１０】
原稿、もしくは原稿束がＩＣチップ付き原稿、もしくはＩＣチップ付き原稿束のとき、前記ＩＣチップ付加手段でＩＣチップを付加しないことを特徴とした請求項７から請求項９のいずれかに記載の画像処理装置。
【請求項１１】
前記データが原稿読み取り済みを示す情報であることを特徴とした請求項７から請求項１０のいずれかに記載の画像処理装置。
【請求項１２】
前記データが前記出力先指定手段で指定された出力先を示す情報であることを特徴とした請求項７から請求項１０のいずれかに記載の画像処理装置。
【請求項１３】
画像データの出力操作を行う人のＩＤ情報を入力するＩＤ入力手段を有し、前記データが前記ＩＤ入力手段で入力されたＩＤ情報であることを特徴とした請求項７から請求項１０のいずれかに記載の画像処理装置。
【請求項１４】
前記ＩＣチップは非接触で外部機器と通信できる機能を有し、前記ＩＣ読み書き手段は前記ＩＣチップと非接触で通信できる機能を有する
ことを特徴とした請求項７から１３のいずれかに記載の画像処理装置。
【発明の詳細な説明】
【技術分野】
【０００１】
本発明は、原稿を読み取る原稿読み取り部へ原稿を給送する原稿給送装置、及び、原稿を読み取るとともに読み取った画像データを任意のあて先に出力する画像処理装置に関するものである。
【背景技術】
【０００２】
従来、ファクシミリ、スキャナ、複写機などの画像処理装置は、原稿を読み取る原稿読み取り部を有しており、この原稿読み取り部に原稿を給送する原稿給送装置を装着することが可能となっている。
【０００３】
また、読み取り済原稿と未読み取り原稿との区別を付ける技術として、特許文献１に開示されたように、読み取った原稿にスタンプを押印する済スタンプ機能が知られている。
【０００４】
一方、原稿上のＩＣチップに情報を書き込む技術として、特許文献２に開示されたように、原稿上のＲＦＩＤタグにＲＦＩＤ書き込み手段を用いてデータを書き込む技術が知られている。
【特許文献１】特開平９−３７００８号公報
【特許文献２】特開２００２−３３７４２６号公報
【発明の開示】
【発明が解決しようとする課題】
【０００５】
しかしながら、上述した特許文献１の例では、読み取り済か否かの情報しか表せず、誰が読み取ったかや読み取った画像データをどこに送ったか等の情報を記録することができなかった。
【０００６】
また、上述した特許文献２の例では、ＩＣチップが入ったＲＦＩＤタグが貼りついていない原稿の場合、情報をＩＣチップに記録することができなかった。
【０００７】
本発明は上記の問題点を解決するためになされたものであり、その目的はＩＣチップが付加されていない原稿にＩＣチップを付加することができ、原稿への操作情報を記録できる原稿を作成可能な原稿給送装置、及び画像処理装置を提供することである。
【課題を解決するための手段】
【０００８】
本発明に係る第１の発明は原稿を原稿読み取り装置の読み取り部に給送する原稿給送装置において、原稿にＩＣチップを付加するＩＣチップ付加手段と前記ＩＣチップの読み書きを行うＩＣチップ読み書き手段とを備え、前記ＩＣチップ付加手段で付加したＩＣチップに前記ＩＣチップ読み書き手段でデータを書き込むことを特徴とした原稿給送装置。
【０００９】
本発明に係る第２の発明は原稿を原稿読み取り装置の読み取り部に給送する原稿給送装置において、原稿にＩＣチップを付加するＩＣチップ付加手段と前記ＩＣチップの読み書きを行うＩＣチップ読み書き手段とを備え、前記ＩＣチップに前記ＩＣチップ読み書き手段でデータを書き込み、前記ＩＣチップ付加手段で付加することを特徴とした原稿給送装置。
【００１０】
本発明に係る第３の発明は請求項１または請求項２に記載の原稿給送装置において、原稿が複数枚のとき、一部の原稿に前記ＩＣチップ付加手段でＩＣチップを付加することを特徴とする。
【００１１】
本発明に係る第４の発明は請求項１から請求項３のいずれかに記載の原稿給送装置において、原稿、もしくは原稿束がＩＣチップ付き原稿、もしくはＩＣチップ付き原稿束のとき、前記ＩＣチップ付加手段でＩＣチップを付加しないことを特徴とする。
【００１２】
本発明に係る第５の発明は請求項１から請求項４のいずれかに記載の原稿給送装置において、前記ＩＣチップは非接触で外部機器と通信できる機能を有し、前記ＩＣ読み書き手段は前記ＩＣチップと非接触で通信できる機能を有することを特徴とする。
【００１３】
本発明に係る第６の発明は請求項１から請求項５のいずれかに記載の原稿給送装置において、前記データが原稿読み取り済みを示す情報であることを特徴とする。
【００１４】
本発明に係る第７の発明は原稿上の画像を読み取った画像データを出力する画像処理装置において、前記画像データを出力する先を指定できる出力先指定手段と原稿にＩＣチップを付加するＩＣチップ付加手段と前記ＩＣチップの読み書きを行うＩＣチップ読み書き手段と前記ＩＣチップ付加手段で付加したＩＣチップに前記ＩＣチップ読み書き手段でデータを書き込むことを特徴とした画像処理装置。
【００１５】
本発明に係る第８の発明は原稿上の画像を読み取った画像データを出力する画像処理装置において、前記画像データを出力する先を指定できる出力先指定手段と原稿にＩＣチップを付加するＩＣチップ付加手段と前記ＩＣチップの読み書きを行うＩＣチップ読み書き手段と前記ＩＣチップに前記ＩＣチップ読み書き手段でデータを書き込み、前記ＩＣチップ付加手段で付加することを特徴とした画像処理装置。
【００１６】
本発明に係る第９の発明は請求項７または請求項８に記載の画像処理装置において、原稿が複数枚のとき、一部の原稿に前記ＩＣチップ付加手段でＩＣチップを付加することを特徴とする。
【００１７】
本発明に係る第１０の発明は請求項７から請求項９のいずれかに記載の画像処理装置において、原稿、もしくは原稿束がＩＣチップ付き原稿、もしくはＩＣチップ付き原稿束のとき、前記ＩＣチップ付加手段でＩＣチップを付加しないことを特徴とする。
【００１８】
本発明に係る第１１の発明は請求項７から請求項１０のいずれかに記載の画像処理装置において、前記データが原稿読み取り済みを示す情報であることを特徴とする。
【００１９】
本発明に係る第１２の発明は、請求項７から請求項１０のいずれかに記載の画像処理装置において、前記データが前記出力先指定手段で指定された出力先を示す情報であることを特徴とする。
【００２０】
本発明に係る第１３の発明は請求項７から請求項１０のいずれかに記載の画像処理装置において、画像データの出力操作を行う人のＩＤ情報を入力するＩＤ入力手段を有し、前記データが前記ＩＤ入力手段で入力されたＩＤ情報であることを特徴とする。
【００２１】
本発明に係る第１４の発明は請求項７から請求項１２のいずれかに記載の画像処理装置において、前記ＩＣチップは非接触で外部機器と通信できる機能を有し、前記ＩＣ読み書き手段は前記ＩＣチップと非接触で通信できる機能を有することを特徴とする。
【発明の効果】
【００２２】
本発明に係る第１から６の発明によれば、ＩＣチップが付加されていない原稿にＩＣチップを付加するので、もともとＩＣチップが付いていた原稿と同様に扱うことが可能となり、ユーザにとって原稿の扱いやすさを向上することができる。また、読み取れなくなったＩＣチップの代わりに新しいＩＣチップが自動的に付加されることになるので、ユーザはＩＣチップの故障を意識しなくてよく、原稿のメンテナンス性を向上することができる。
【００２３】
第７から１４の発明によれば、原稿の送信先や作業者や機械をＩＣチップに書き込むようにしたことで、原稿に対する操作情報を原稿自身に記録することができ、原稿のセキュリティ性を向上することができる。
【発明を実施するための最良の形態】
【００２４】
以下本発明を実施するための最良の形態を、実施例により詳しく説明する。
【実施例１】
【００２５】
図１は、本発明の実施形態を示す原稿給送装置の構成を示すブロック図である。
【００２６】
図１において、１０１は原稿給送装置本体で、制御部１０２、原稿搬送部１０３、ＲＦＩＤタグ貼付け部１０４、ＲＦＩＤリーダライタ１０５、１０６から構成される。
【００２７】
制御部１０２については後述するが、制御部１０２は、ＣＰＵ，ＲＯＭ，ＲＡＭ等を有し、ＣＰＵがＲＯＭ又はその他の記憶媒体に格納されたプログラムを実行することにより原稿給送装置全体を統括制御して、原稿搬送部１０３、ＲＦＩＤタグ貼付け部１０４、ＲＦＩＤリーダライタ部１０５、１０６のそれぞれの間のデータの流れを制御するものである。
【００２８】
原稿搬送部１０３は、原稿を順番に１枚ずつ、図２に示す搬送経路２１０に沿って搬送し、原稿読み取り装置２０１で原稿を読み取らせることができる。
【００２９】
ＲＦＩＤタグ貼付け部１０４は、複数のＲＦＩＤタグを収納しており、搬送経路２１０を通過する原稿にＲＦＩＤタグを一つずつ貼り付けることができる。
【００３０】
ＲＦＩＤリーダライタ部１０５、１０６は、搬送経路２１０を通過する原稿に貼り付いているＲＦＩＤタグに記憶されているデータを非接触で読み取ることやデータをＲＦＩＤタグに非接触で記憶させることができる。
【００３１】
図２は、原稿給送装置１０１、及び原稿読み取り装置２０１の構成を示す断面図である。
【００３２】
２０１は原稿読み取り装置で、原稿給送装置１０１が原稿を搬送し始めると、ランプ２０３を点灯し、スキャナユニット２０４を所定の位置に移動させ、プラテンガラス２０２上を通過する原稿を露光走査する。この時の原稿からの反射光は、ミラー２０５，２０６，２０７、及びレンズ２０８によってＣＣＤイメージセンサ（以下ＣＣＤと呼ぶ）２０９へ導かれる。
【００３３】
このように、走査された原稿の画像はＣＣＤ２０９によって読み取られ、ＣＣＤ２０９から出力される画像データは、所定の処理が施された後、あらかじめ決められた出力先に送られる。
【００３４】
図３は、本発明の画像処理装置における第１の制御処理手順の一例を示すフローチャートである。なお、図３中のＳ３０１〜Ｓ３０６は各ステップを示す。
【００３５】
ユーザが原稿を原稿給送装置２０１に置き、原稿読み取りをスタートさせると図３のステップＳ３０１では、原稿１枚の搬送を開始し、ステップＳ３０２へ移行する。
【００３６】
ステップＳ３０２では、ＲＦＩＤタグを検索するために、ＲＦＩＤリーダライタ部１０５を用いて原稿上のＲＦＩＤタグを読み取らせ、原稿の後端がＲＦＩＤリーダライタ部１０５を通過したら、ステップＳ３０３に移行する。
【００３７】
ステップＳ３０３では、ステップＳ３０２でＲＦＩＤタグを読み取ることができたかを判断し、読み取ることができた場合、ＲＦＩＤタグが存在すると判断し、ステップＳ３０５に移行し、読み取ることができなかった場合、ＲＦＩＤタグが存在しないと判断し、ステップＳ３０４に移行する。
【００３８】
ステップＳ３０４では、ＲＦＩＤタグ貼付け部１０４で原稿上にＲＦＩＤタグを貼り付け、ステップＳ３０５に移行する。
【００３９】
ステップＳ３０５では、原稿上のＲＦＩＤタグにＲＦＩＤリーダライタ部１０６を用いて読み込み済を示す情報を記憶させ、ステップＳ３０６に移行する。
【００４０】
ステップＳ３０６では、原稿給送装置２０１に置かれた原稿をすべて読み取ったかを判断し、完了していない場合は、ステップＳ３０１に移行し、完了している場合は、読み取り処理を終了する。
【００４１】
なお、ステップＳ３０２、ステップＳ３０３を実施しているとき、同時に原稿読み取り装置２０１において、原稿上の画像が読み取られる。
【００４２】
本実施例では、ＲＦＩＤタグを読み書き、又は、ＲＦＩＤタグの貼付けを行う構成について説明したが、もちろん、接触型のＩＣチップの読み書き、貼付けを行う構成にしてもよい。
【００４３】
上記実施例のように、原稿上のＲＦＩＤタグが存在しない場合は、ＲＦＩＤタグを貼り付けるようにしたことで、ＲＦＩＤタグが付いていた原稿と同様に原稿が読み取り済みであるかどうかの確認を行うことができ、原稿の扱いやすさを向上させている。また、読み取れなくなったＲＦＩＤタグの代わりに新しいＲＦＩＤタグが自動的に付加されるので、ユーザはＲＦＩＤタグの故障を意識しなくてよく、原稿のメンテナンス性を向上させている。
【実施例２】
【００４４】
上記実施例１では、ＲＦＩＤタグに読み取り済を表す情報を記憶させる場合について説明したが、本実施例では、ＲＦＩＤタグに読み取り済み以外の情報を記憶させる場合について、図４〜図７を参照して説明する。
【００４５】
図４は、本発明の実施形態を示す画像処理装置の構成を示すブロック図である。
【００４６】
図４において、４０１はデジタル複写機本体で、操作部４０２、原稿読み取り部２０１、原稿給送部１０１、プリンタ部４０３から構成される。
【００４７】
操作部４０２は、デジタル複写機本体４０１及び画像入出力制御部４０４を操作するために使用される。原稿給送部１０１は、原稿を原稿読み取り部２０１に搬送し、原稿読み取り部２０１は、原稿の画像を読み取り、原稿画像に応じた画像データを画像入出力制御部４０４へ出力する。プリンタ部４０３は、画像入出力制御部４０４からの画像データに応じた画像を記録紙上に記録する。
【００４８】
画像入出力制御部４０４は、操作部４０２、原稿読み取り部２０１、プリンタ部４０３に接続されており、モデム部４０５、コンピュータインタフェース部４０６、ハードディスク４０７、制御部４０８から構成される。
【００４９】
モデム部４０５は、電話回線を介して受信した圧縮画像データを伸長して、伸長された画像データを制御部４０８へ転送し、また、制御部４０８から転送された画像データを圧縮して、圧縮された圧縮画像データを電話回線を介して送信する。モデム部４０５により受信した圧縮画像データは、ハードディスク４０７に一時的に保存することができる。
【００５０】
コンピュータインタフェース部４０６は、パーソナルコンピュータ（以下、ＰＣ）４０９、サーバ４１０と制御部４０８の間のインタフェースであり、ＰＣ４０９やサーバ４１０から転送された画像データを制御部４０８に渡している。また、制御部４０８からの指示により、ＰＣ４０９やサーバ４１０に対して画像データや制御コードを送信する。
【００５１】
ハードディスク４０７は、画像データの出力順序を変えたり、複数部出力においても一回のスキャンで出力ができるようにするためや、ファクシミリ送信やファクシミリ受信のように転送に時間がかかる場合に、ＰＤＬの展開データやスキャナからの画像データを一時的に記憶したり、同じ画像データを繰り返し読み出すために利用者が意図的に消去するまで記憶したりする。
【００５２】
制御部４０８については後述するが、制御部４０８は、ＣＰＵ，ＲＯＭ，ＲＡＭ等を有し、ＣＰＵがＲＯＭ又はその他の記憶媒体に格納されたプログラムを実行することにより画像処理装置全体を統括制御して、原稿読み取り部２０１、プリンタ部４０３、モデム部４０５、コンピュータインタフェース部４０６、ハードディスク４０７のそれぞれの間のデータの流れを制御するものである。
【００５３】
図５は、図４に示した原稿読み取り部２０１、原稿給送部１０１及びプリンタ部１０４の構成を示す断面図である。
【００５４】
原稿読み取り部２０１、原稿給送部１０１の詳細については、第一の実施例で説明したものと同一である。
【００５５】
プリンタ部４０３において、５１２はレーザドライバで、レーザ発光部５０１を駆動するものであり、原稿読み取り部２０１から出力された画像データに応じたレーザ光をレーザ発光部５０１に発光させる。このレーザ光は感光ドラム５０２に照射され、感光ドラム５０２にはレーザ光に応じた潜像が形成される。この感光ドラム５０２の潜像の部分には現像器５０３によって現像剤が付着される。
【００５６】
そして、レーザ光の照射開始と同期したタイミングで、カセット５０４及びカセット５０５のいずれかから記録紙を給紙して転写部５０６へ搬送し、感光ドラム５０２に付着された現像剤を記録紙に転写する。
【００５７】
現像剤の乗った記録紙は定着部５０７に搬送され、定着部５０７の熱と圧力により現像剤は記録紙に定着される。定着部５０７を通過した記録紙は排出ローラ５０８によって排出され、ソータ（仕分け装置）５１１は排出された記録紙をそれぞれのビンに収納して記録紙の仕分けをしたり、仕分けされた記録紙のステイプルを行う。
【００５８】
なお、ソータ５１１は仕分けが設定されていない場合は最上ビンに記録紙を収納する。また、両面記録が設定されている場合は、排出ローラ５０８のところまで記録紙を搬送した後、排出ローラ５０８の回転方向を逆転させ、フラッパ５０９によって再給紙搬送路５１０へ導く。
【００５９】
多重記録が設定されている場合は、記録紙を排出ローラ５０８まで搬送しないようにフラッパ５０９によって再給紙搬送路５１０へ導く。再給紙搬送路５１０へ導かれた記録紙は上述したタイミングで転写部５０６へ給紙される。
【００６０】
図６は、図４に示した操作部４０２のキー配列を示す外観図である。
【００６１】
図において、６０１は主電源ランプで、電源オン時に点灯する。図示せぬ電源スイッチは、本体の側面に配置され、本体への通電を制御する。６０２は予熱キーで、予熱モードのＯＮ／ＯＦＦに使用する。６０３はコピーモードキーで、複数の機能の中からコピーモードを選択する時に使用する。
【００６２】
６０４はファックスモードキーで、複数の機能の中からファックスモードを選択する時に使用する。６０５はボックスキーで、複数の機能の中からボックスモードを選択する時に使用する。ボックスに関しては後程説明する。
【００６３】
６０６はスタートキーで、コピーなどの機能の開始を指示する時に用いるキーである。６０７はストップキーで、コピーを中断したり、中止したりする時に用いるキーである。６０８はリセットキーで、スタンバイ中は標準モードに復帰させるキーとして動作する。
【００６４】
６０９はガイドキーで、各機能を知りたい時に使用するキーである。６１０はユーザーモードキーで、ユーザがシステムの基本設定を変更する時に使用する。６１１は割り込みキーで、コピー中に割り込みしてコピーしたい時に用いる。
【００６５】
６１２はテンキーで、数値の入力を行う時に使用する。６１３はクリアキーで、数値をクリアする時に用いる。６１４は、２０個のワンタッチ・ダイヤル・キーであり、ファクシミリ送信において、ワンタッチでダイヤルする時に使用する。
【００６６】
６１５は２枚組のフタであり、ワンタッチ・ダイヤル・キー６１４の各キー部分がくり抜かれ形状の２重のフタになっている。図示せぬセンサスイッチにより、２枚のフタが閉じられた第１の状態、１枚目のフタだけが開いた第２の状態、及び２枚のフタが開いた第３の状態を検出する。これら３種類のフタの開閉状態と組み合わせで、ワンタッチ・ダイヤル・キー６１４のキーの動作が決定されるので、本実施形態では、キーが２０×３＝６０個存在するのと同等の効果を持つ。
【００６７】
６１６は、液晶画面とタッチセンサの組み合わせからなるタッチパネルであり、各モード毎に個別の設定画面が表示され、さらに、描画されたキーに触れることで、各種の詳細な設定を行うことが可能である。
【００６８】
以下、図７及び図８を参照して、本実施形態に係わる画像処理装置の動作手順について説明する。
【００６９】
図７は、本発明の画像処理装置における第２の制御処理手順の一例を示すフローチャートである。なお、図７中のＳ７０１〜Ｓ７０８は各ステップを示す。
【００７０】
ユーザがファックス送信を選択すると図８で表す画面がタッチパネル６１６に表示される。なお、図８において、８０１は入力エリア８０２をアクティブにする選択ボタンであり、８０２は送信先電話番号を入力するための入力エリアであり、８０３は、読み取り濃度の濃淡を設定するスライダである。
【００７１】
ステップＳ７０１では、ユーザがタッチパネル６１６に表示されたファックス送信画面を設定するとステップＳ７０２に移行する。
【００７２】
ステップＳ７０２では、ユーザが原稿を原稿給送装置２０１に置き、スタートキー６０６を押下するとステップＳ７０３で原稿１枚の搬送を開始し、ステップＳ７０４へ移行する。
【００７３】
ステップＳ７０４では、ＲＦＩＤタグを検索するために、ＲＦＩＤリーダライタ部１０５を用いて原稿上のＲＦＩＤタグを読み取らせ、原稿の後端がＲＦＩＤリーダライタ部１０５を通過したら、ステップＳ７０５に移行する。
【００７４】
ステップＳ７０５では、ステップＳ７０４でＲＦＩＤタグを読み取ることができたかを判断し、読み取ることができた場合、ＲＦＩＤタグが存在すると判断し、ステップＳ７０７に移行し、読み取ることができなかった場合、ＲＦＩＤタグが存在しないと判断し、ステップＳ７０６に移行する。
【００７５】
ステップＳ７０６では、ＲＦＩＤタグ貼付け部１０４で原稿上にＲＦＩＤタグを貼り付け、ステップＳ７０７に移行する。
【００７６】
ステップＳ７０７では、原稿上のＲＦＩＤタグにＲＦＩＤリーダライタ部１０６を用いて読み込み済を示す情報とステップＳ７０１で設定された送信先電話番号を記憶させ、ステップＳ７０８に移行する。
【００７７】
ステップＳ７０８では、原稿給送装置２０１に置かれた原稿をすべて読み取ったかを判断し、完了していない場合は、ステップＳ７０３に移行し、完了している場合は、読み取り処理を終了する。
【００７８】
なお、ステップＳ７０４、ステップＳ７０５を実施しているとき、同時に原稿読み取り装置２０１において、原稿上の画像が読み取られる。
【００７９】
本実施例では、ＲＦＩＤタグを読み書き、又は、ＲＦＩＤタグの貼付けを行う構成について説明したが、もちろん、接触型のＩＣチップの読み書き、貼付けを行う構成にしてもよい。
【００８０】
また、本実施例では、ファクシミリ送信時に送信先を管理するために、ＩＣチップに送信先電話番号を書き込むこと構成について説明したが、Ｅ−Ｍａｉｌ送信時の宛先アドレスやＦＴＰ転送時の格納先ＩＰアドレス、マシン名、ディレクトリをＩＣチップに書き込むことで、それぞれの送信先を管理するようにしてもよい。
【００８１】
また、本実施例では、送信先を書き込む構成について説明したが、原稿の読み取りを指示した個人を特定するために、タッチパネル６１６に個人ＩＤ入力画面を表示し、ユーザにＩＤを入力させ、入力されたＩＤをＩＣチップに書き込むようにしてもよい。さらに、原稿を読み取った機械を特定するために、読み取った機械固有の識別子をＩＣチップに記憶させるようにしてもよい。
【００８２】
また、本実施例では、ＩＣチップを原稿に貼り付けた後にＩＣチップへのデータ書き込みを行う構成について説明したが、ＲＦＩＤタグ貼付け部１０４にＲＦＩＤリーダライタ１０６を内蔵し、ＩＣチップへの書き込みを行った後で原稿へ貼り付けるようにしてもよい。
【００８３】
上記実施例のように、原稿上にＩＣチップが存在しない場合は、ＩＣチップを貼り付けるとともに、原稿の送信先や読み取りを行った個人ＩＤ等をＩＣチップに書き込むようにしたことで、該当原稿に対する操作情報を原稿自身に記録することができ、原稿と操作記録との対比しやすくし、セキュリティ性を向上することができる。
【００８４】
なお、上記第２の実施形態では、原稿読み取り部２０１、プリンタ部４０３を制御する画像入出力制御部４０４を設ける構成について説明したが、原稿読み取り部２０１、プリンタ部４０３をそれぞれＰＣ４０９に接続し、画像入出力制御部４０４の代わりをＰＣ４０９に行わせてもよい。
【００８５】
さらに、上記実施例２では、デジタル複写機の操作部にあるタッチパネル６１６からの操作で原稿読み取りを指示したが、ＰＣ４０９からのアクセスによって行う構成にしてもよい。
【００８６】
また、本発明は、スキャナ、ファクシミリ装置等を用いた場合についても同様に適用可能であり、上述した機能を実施することができる。
【００８７】
なお、上記各実施形態では、プリンタ部（プリンタエンジン）がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【図面の簡単な説明】
【００８８】
【図１】本発明の第１の実施形態における原稿給送装置の構成を示すブロック図である。
【図２】本発明の第１の実施形態における原稿給送装置と原稿読み取り装置の構成を示す断面図である。
【図３】本発明の画像処理装置における第１の制御処理手順の一例を示すフローチャートである。
【図４】本発明の画像処理装置における第２の実施形態を示す画像処理装置の構成を示すブロック図である。
【図５】本発明の第２の実施形態における原稿給送装置と原稿読み取り装置とプリンタ部の構成を示す断面図である。
【図６】本発明の画像処理装置における第２実施例の操作部の構成を示す外観図である。
【図７】本発明の画像処理装置における第２の制御処理手順の一例を示すフローチャートである。
【図８】図６に示したタッチパネル６１６に表示するファックス送信画面の一例を示す模式図である。
【符号の説明】
【００８９】
１０１  原稿給送装置
１０２  原稿給送装置制御部
１０４  ＲＦＩＤタグ貼付け部
１０５、１０６  ＲＦＩＤリーダライタ
２０１  原稿読み取り部
４０１  デジタル複写機本体
４０２  操作部
４０３  プリンタ部
４０４  画像入出力制御部
４０５  モデム部
４０６  コンピュータインタフェース部
４０７  ハードディスク
４０８  デジタル複写機制御部
４０９  ＰＣ
４１０  サーバ
【図１】
2006217484.tif 000003
【図２】
2006217484.tif 000004
【図３】
2006217484.tif 000005
【図４】
2006217484.tif 000006
【図５】
2006217484.tif 000007
【図６】
2006217484.tif 000008
【図７】
2006217484.tif 000009
【図８】
2006217484.tif 000010